(57)【要約】【課題】  分岐管部と流体機器との間に開閉弁が介装されていない状況下でも、分岐管部に接続されている流体機器又は分岐管の更新作業を漏水の無い状態で能率良く確実、容易に行う。【解決手段】  流体管１の管壁外周面における分岐管部２の基端開口に相対向する部位に作業用管部６を設ける工程、作業用管部６に連結された開閉弁７及び作業用管部６を通して送り込まれる穿孔装置の穿孔具で流体管の管壁に挿入口８を形成する工程、開閉弁７から穿孔装置を撤去する工程、開閉弁７、作業用管部６、流体管１内を通して送り込まれる閉塞装置Ｂの閉塞手段Ｃで分岐管部２の流路を閉塞する工程、分岐管部２に接続されている旧の流体機器３又は分岐管を撤去する工程、分岐管部２に新たな流体機器又は分岐管を連結する工程、開閉弁7から閉塞装置Ｂを撤去する工程を備えている。【選択図】図７
2008170008.tif 000002
【特許請求の範囲】
【請求項１】
流体管の分岐管部に接続されている流体機器又は分岐管を、流体管での流体輸送を維持したまま更新する流体配管系の流体機器・分岐管更新方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具で流体管の管壁に挿入口を形成する工程、
前記開閉弁から穿孔装置を撤去する工程、
前記開閉弁、作業用管部、流体管内を通して送り込まれる閉塞装置の閉塞手段で分岐管部の流路を閉塞する工程、
前記分岐管部に接続されている旧の流体機器又は分岐管を撤去する工程、
前記分岐管部に新たな流体機器又は分岐管を連結する工程、
前記開閉弁から閉塞装置を撤去する工程、
を備えた流体配管系の流体機器・分岐管更新方法。
【請求項２】
流体管の分岐管部に接続されている流体機器又は分岐管を、流体管での流体輸送を維持したまま更新する流体配管系の流体機器・分岐管更新方法であって、
前記流体管の管壁外周面における分岐管部の基端開口に相対向する部位に作業用管部を設ける工程、
前記作業用管部に連結された第１開閉弁及び作業用管部を通して送り込まれる穿孔装置の穿孔具で流体管の管壁に挿入口を形成する工程、
前記第１開閉弁から穿孔装置を撤去する工程、
前記第１開閉弁、作業用管部、流体管内を通して送り込まれる閉塞装置の閉塞手段で分岐管部の流路を閉塞する工程、
前記分岐管部に接続されている旧の流体機器又は分岐管を撤去し、前記分岐管部に第２開閉弁を連結する工程、
前記第２開閉弁に閉塞装置を連結し、前記第２開閉弁、分岐管部、流体管内を通して送り込まれる閉塞装置の閉塞手段で作業用管部の流路を閉塞する工程、
前記作業用管部から第１開閉弁を撤去し、前記作業用管部にそれの端部開口を密封する蓋体を連結する工程、
前記第２開閉弁から閉塞装置を撤去し、前記第２開閉弁に新たな流体機器又は分岐管を連結する工程、
を備えた流体配管系の流体機器・分岐管更新方法。
【請求項３】
流体管の分岐管部に接続されている分岐管又は流体機器を、流体管での流体輸送を維持したまま撤去する流体配管系の分岐管・流体機器撤去方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具で流体管の管壁に挿入口を形成する工程、
前記開閉弁から穿孔装置を撤去する工程、
前記開閉弁、作業用管部、流体管内を通して送り込まれる閉塞装置の閉塞手段で分岐管部の流路を閉塞する工程、
前記分岐管部に接続されている旧の流体機器又は分岐管を撤去する工程、
前記分岐管部にそれの端部開口を密封する蓋体を連結する工程、
前記開閉弁から閉塞装置を撤去する工程、
を備えた流体配管系の分岐管・流体機器撤去方法。
【請求項４】
流体管の分岐管部の流路を、流体管での流体輸送を維持したまま遮断する流体配管系の
分岐管部遮断方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具により、分岐管部の流路を閉塞する閉塞装置の閉塞手段を送り込むための挿入口を形成する工程、
を備えた流体配管系の分岐管部遮断方法。
【発明の詳細な説明】
【技術分野】
【０００１】
本発明は、水道管等の流体管の分岐管部に接続されている空気弁や消火栓等の流体機器又は分岐管を流体管での流体輸送を維持したまま更新する流体配管系の流体機器・分岐管更新方法と、流体管の分岐管部に接続されている分岐管又は流体機器を流体管での流体輸送を維持したまま撤去する流体配管系の分岐管・流体機器撤去方法、並びに、流体管の分岐管部の流路を流体管での流体輸送を維持したまま遮断する分岐管部遮断方法に関する。
【背景技術】
【０００２】
この種の流体配管系、例えば、図１に示すように、流体管の一例である水道管の途中に形成された分岐管部の連結フランジ部に、流体機器の一例である空気弁の下端に形成された連結フランジ部を、ボルト・ナット等の締結具にて脱着自在に締付け連結してある水道配管系においては、耐久年数に至った又は漏水や故障の発生した空気弁を新たに選定された指定の開閉弁（補修弁等）及び空気弁と交換する必要がある。
【０００３】
このとき、前記分岐管部の連結フランジ部と空気弁の連結フランジ部との間に開閉弁が連結されている場合には、空気弁が取り外された開閉弁の上側連結フランジ部に、分岐管部内の流路を遮断するための閉塞手段を備えた流路閉塞装置を連結し、この流路閉塞装置の閉塞手段を開閉弁を通して分岐管部内の流路遮断位置に送り込んで流路を閉塞することにより、空気弁を新たな空気弁に取り替えることができる。
【０００４】
しかし、前記分岐管部と空気弁との間に開閉弁が設けられていない場合、若しくは、分岐管部と空気弁との間に設けられている開閉弁が開弁状態のまま作動不能に陥っている場合には、分岐管部内の流路を遮断するための流路閉塞装置を用いることができず、また、分岐管部と空気弁との間に設けられる開閉弁がバタフライ弁である場合では、このバタフライ弁内に弁体やこれを回動自在に支持する両弁棒等が存在しているため、その状態では流路閉塞装置の閉塞手段を分岐管部内の流路遮断位置に送り込むことができず、流路閉塞装置を使用することができない。
【０００５】
そこで、特許文献１に示す技術を利用して、水道管の分岐管部に凍結装置を装着して、この分岐管部内の上水（流体）を凍結させて上水の流れを遮断したのち、分岐管部の連結フランジ部から空気弁又は開閉弁（補修弁やバタフライ弁等）を撤去し、分岐管部の連結フランジ部に指定された新たな開閉弁及び空気弁を連結する方法が考えられる。
【０００６】
また、前記開閉弁がバタフライ弁である場合、特許文献２に示す技術を利用して、流路閉塞装置による流路閉塞工程前において、空気弁が取り外されたバタフライ弁の上側連結フランジ部に、作業用開閉弁を介して穿孔装置を連結し、この穿孔装置の先端穿孔具（ホールソー）でバタフライ弁の両弁棒及び弁体を切断除去したのち、作業用開閉弁を閉弁した状態で穿孔装置を撤去し、この撤去後の作業用開閉弁の上側連結フランジ部に、分岐管部内の流路を遮断するための閉塞手段を備えた流路閉塞装置を連結し、作業用開閉弁を通して水道管の分岐管部内に差し入れられた閉塞手段により分岐管部内の流路を閉塞する方法が考えられる。
【０００７】
この後者の方法では、流路閉塞装置の閉塞手段による流路閉塞後において、流路閉塞装置の少なくとも閉塞手段を流路閉塞状態で残したまま、分岐管部の連結フランジ部からバタフライ弁及び作業用開閉弁を取り外し、前記分岐管部の連結フランジ部に、指定された新たな開閉弁、及び、残置されている流路遮断装置の残置構成部材を収納可能なケースを
連結し、流路遮断装置の残置構成部材をケース内に引き出す。この状態で開閉弁を閉弁して残置構成部材及びケースを撤去するとともに、その撤去後の開閉弁に新たな空気弁を連結する。
【０００８】
【特許文献１】特許第３６３６８００号公報
【特許文献２】特開２００４−２３９４０９号公報
【発明の開示】
【発明が解決しようとする課題】
【０００９】
前者の方法は、水道管内の上水の流れを維持したまま分岐管部内の上水を凍結させるため、凍結状態を外部から確認することができず、しかも、凍結までに多くの時間を要しながらも凍結遮断性能の信頼性が低く、分岐管部から開閉弁又は空気弁を取り外した瞬間又は開閉弁から空気弁を取り外した瞬間に多量の上水が噴出する可能性がある。
【００１０】
後者の交換方法では、穿孔装置の先端穿孔具でバタフライ弁の両弁棒及び弁体を切断除去する必要があるため、工事が大掛かりになるとともに作業工程数が増加し、施工コストの高騰化と工期の増大を招来する不都合がある。
特に、前記バタフライ弁が開弁状態で故障している場合には、バタフライ弁から空気弁を取り外した瞬間にバタフライ弁から多量の上水が噴出するため、この方法を採用することはできない。
また、水道管の分岐管部に接続されている分岐管又は流体機器を、水道管での上水（流体）輸送を維持したまま撤去する場合も、上述と同様な問題が発生していた。
【００１１】
本発明は、上述の実状に鑑みて為されたものであって、第１の主たる課題は、例え、分岐管部と流体機器との間に開閉弁が介装されていない状況下でも、或いは、流体管の分岐管部が屈曲又は湾曲している条件下においても、分岐管部に接続されている流体機器又は分岐管の更新作業を漏水の無い状態で能率良く確実、容易に行うことのできる流体配管系の流体機器・分岐管更新方法を提供する点にあり、第２の主たる課題は、分岐管部に接続されている流体機器又は分岐管の撤去作業を漏水の無い状態で能率良く確実、容易に行うことのできる流体配管系の分岐管・流体機器撤去方法を提供する点にあり、更に、第３の主たる課題は、分岐管部の流路遮断作業を漏水の無い状態で能率良く確実、容易に行うことのできる分岐管部遮断方法を提供する点にある。
【課題を解決するための手段】
【００１２】
本発明では、流体管の分岐管部に接続されている流体機器又は分岐管を、流体管での流体輸送を維持したまま更新する流体配管系の流体機器・分岐管更新方法において、以下の１）〜３）のステップを備えていてもよい。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、前記第１開閉弁を閉弁した状態で穿孔装置を撤去したのち、前記第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。３）前記分岐管部に接続されている旧の流体機器又は分岐管を撤去したのち、この分岐管部に新たな流体機器又は分岐管を連結するとともに、前記閉塞装置の閉塞手段を第１開閉弁よりも下流側に引き出したのち、第１開閉弁を閉弁した状態で閉塞装置を撤去する。
【００１３】
上記構成によれば、耐久年数に至った又は漏水や故障の発生した流体配管系統中の
流体機器又は分岐管を指定された新たな流体機器又は分岐管に取り替える必要が生じた際、前記流体管の分岐管部と取替え対象の流体機器又は分岐管とが直接接続されている条件下においても、分岐管部の基端開口に対して同芯又は略同芯状態で相対向する流体管の管壁に作業用管部を突設して、この作業用管部に第１開閉弁を介して連結した穿孔装置にて挿入口を形成することにより、この挿入口を通して分岐管部の基端開口側から差し入れられた閉塞装置の閉塞手段にて分岐管部の流路を確実に閉塞（遮断）することができる。
【００１４】
それ故に、流体管の分岐管部に接続されている旧の流体機器又は分岐管を指定された新たな流体機器又は分岐管に漏水なく確実、容易に取り替えることができるとともに、流体管の分岐管部が屈曲又は湾曲している条件下でも、分岐管部の流路の基端開口側において確実、容易に遮断することができる。
更に、取替え対象の流体機器がバタフライ弁と空気弁であっても、従来のように、穿孔装置の先端穿孔具を用いてバタフライ弁の両弁棒及び弁体を切断除去する必要がなく、工事規模を小さくすることができるとともに、分岐管部と空気弁との間に設けられる旧の開閉弁が開弁状態で故障している場合でも漏水なく確実、容易に実施することができる。
【００１５】
従って、例え、分岐管部と流体機器との間に開閉弁が介装されていない状況下でも、或いは、流体管の分岐管部が屈曲又は湾曲している条件下においても、分岐管部に接続されている流体機器又は分岐管の更新作業を漏水の無い状態で能率良く確実、容易に行うことができ、しかも、施工コスト面でも有利に実施することができる。
【００１６】
本発明では、流体管の直線状の分岐管部に接続されている流体機器又は分岐管を、流体管での流体輸送を維持したまま更新する流体配管系の流体機器・分岐管更新方法において、以下の１）〜５）のステップを備えていてもよい。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、前記第１開閉弁を閉弁した状態で穿孔装置を撤去したのち、第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。
３）前記分岐管部に接続されている旧の流体機器又は分岐管を撤去したのち、この分岐管部に第２開閉弁を連結するとともに、前記閉塞装置の閉塞手段を第１開閉弁よりも下流側に引き出したのち、第１開閉弁を閉弁した状態で閉塞装置を撤去する。
４）前記分岐管部側の開閉弁に閉塞装置を連結し、この閉塞装置の閉塞手段を、第２開閉弁と分岐管部及び管壁の挿入口を通して作業用管部内の流路閉塞位置に送り込んで流路を閉塞したのち、作業用管部から第１開閉弁を撤去する。
５）次に、前記作業用管部にそれの端部開口を密閉する蓋体を連結するとともに、前記閉塞装置の閉塞手段を第２開閉弁よりも下流側に引き出し、分岐管部側の開閉弁を閉弁した状態で閉塞装置を撤去するとともに、この第２開閉弁に新たな流体機器又は分岐管を連結する。
【００１７】
上記構成によれば、耐久年数に至った又は漏水や故障の発生した流体配管系統中の流体機器又は分岐管を指定された新たな流体機器又は分岐管に取り替える必要が生じた際、前記流体管の分岐管部と取替え対象の流体機器又は分岐管とが直接接続されている条件下においても、分岐管部の基端開口に対して同芯又は略同芯状態で相対向する流体管の管壁に作業用管部を突設して、この作業用管部に第１開閉弁を介して連結した穿孔装置にて挿入
口を形成することにより、この挿入口を通して分岐管部の基端開口側から差し入れられた閉塞装置の閉塞手段にて分岐管部の流路を確実に閉塞（遮断）することができる。
【００１８】
それ故に、流体管の分岐管部に接続されている旧の流体機器又は分岐管を指定された新たな流体機器又は分岐管に漏水なく確実、容易に取り替えることができるとともに、取替え対象の流体機器がバタフライ弁と空気弁であっても、従来のように、穿孔装置のホールソーを用いてバタフライ弁の両弁棒及び弁体を切断除去する必要がなく、その分だけ工事規模を小さくすることができるとともに、仕切弁等が開弁状態で故障している場合でも確実、容易に実施することができる。
【００１９】
しかも、分岐管部の流路を遮断した状態で該分岐管部から旧の流体機器又は分岐管を撤去したのち、前記分岐管部に新たな第２開閉弁及び流体機器を直ちに取付けるのではなく、第２開閉弁を作業用開閉弁として利用し、この第２開閉弁に連結された閉塞装置の閉塞手段を、第２開閉弁と分岐管部及び管壁の挿入口を通して作業用管部内の流路閉塞位置に送り込んで流路を閉塞することにより、作業用管部から第１開閉弁を回収することができるとともに、この第１開閉弁よりも安価で外方への突出量も少ない蓋体を用いて作業用管部の端部開口を確実に密封することができる。
【００２０】
従って、例え、分岐管部と流体機器との間に開閉弁が介装されていない状況下でも、分岐管部に接続されている流体機器又は分岐管の更新作業を漏水の無い状態で能率良く確実、容易に行うことができるとともに、新設される第２開閉弁及び閉塞装置を利用して第１開閉弁を回収することができるので、施工コストの低廉化を促進することができる。
【００２１】
本発明では、前記作業用管部に、流体管の管壁外周面に固着される当て板部が連設されていてもよい。
【００２２】
上記構成によれば、前記作業用管部の当て板部を、分岐管部の基端開口に対して同芯又は略同芯状態で相対向する流体管の管壁外周面に溶接等で固着するだけで済み、流体機器又は分岐管の更新作業の能率化と施工コストの低廉化を促進することができる。
【００２３】
本発明では、前記作業用管部に、流体管の管壁外周面に対して径方向の一側方から当て付けられる弧状取付け板が連設されているとともに、前記弧状取付け板を流体管の管壁外周面に締付け固定する締結手段が設けられていてもよい。
【００２４】
上記構成によれば、前記作業用管部に連設された弧状取付け板を、分岐管部の基端開口に対して同芯又は略同芯状態で相対向する流体管の管壁外周面に当て付け、この弧状取付け板を締結手段によって流体管の管壁外周面に締付け固定するだけであるから、流体機器又は分岐管の更新作業の能率化と施工コストの低廉化を促進することができる。
【００２５】
本発明では、流体管の分岐管部に接続されている分岐管又は流体機器を、流体管での流体輸送を維持したまま撤去する流体配管系の分岐管・流体機器撤去方法において、以下の１）〜３）のステップを備えていてもよい。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記第１開閉弁を閉弁した状態で穿孔装置を撤去したのち、第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで
流路を閉塞する。
３）前記分岐管部に接続されている分岐管又は流体機器を撤去したのち、この分岐管部にそれの端部開口を密閉する蓋体を連結するとともに、前記閉塞装置の閉塞手段を第１開閉
弁よりも下流側に引き出したのち、第１開閉弁を閉弁した状態で閉塞装置を撤去する。
点にある。
【００２６】
上記構成によれば、耐久年数に至った又は漏水や故障の発生した流体配管系統中の分岐管又は流体機器を撤去する必要が生じた際、前記流体管の分岐管部に分岐管又は流体機器が直接接続されている条件下においても、分岐管部の基端開口に対して同芯又は略同芯状態で相対向する流体管の管壁に作業用管部を突設して、この作業用管部に第１開閉弁を介して連結した穿孔装置にて挿入口を形成することにより、この挿入口を通して分岐管部の基端開口側から差し入れられた閉塞装置の閉塞手段にて分岐管部の流路を確実に閉塞（遮断）することができる。
【００２７】
従って、例え、分岐管部と分岐管又は流体機器との間に開閉弁が介装されていない状況下でも、或いは、流体管の分岐管部が屈曲又は湾曲している条件下においても、流体管の分岐管部に接続されている旧の分岐管又は流体機器を漏水なく確実、容易に撤去することができ、しかも、施工コスト面でも有利に実施することができる。
【００２８】
本発明では、  流体管の分岐管部の流路を、流体管での流体輸送を維持したまま遮断する流体配管系の分岐管部遮断方法において、以下の１）、２）のステップを備えていてもよい。
１）前記流体管の管壁に、分岐管部の基端開口に対して同芯又は略同芯状態で相対向する作業用管部を突設し、この作業用管部に連結された第１開閉弁に穿孔装置を連結して、この穿孔装置の先端穿孔具を第１開閉弁及び作業用管部を通して送り込むことにより、前記分岐管部の基端開口に相対向する流体管の管壁に挿入口を穿孔する。
２）前記穿孔装置の先端穿孔具を第１開閉弁よりも下流側に引き出し、第１開閉弁を閉弁した状態で穿孔装置を撤去したのち、前記第１開閉弁に、分岐管部の流路を閉塞可能な閉塞手段を備えた閉塞装置を連結し、この閉塞装置の閉塞手段を、第１開閉弁と作業用管部及び管壁の挿入口を通して分岐管部内の流路閉塞位置に送り込んで流路を閉塞する。
点にある。
【００２９】
上記構成によれば、耐久年数に至った又は漏水や故障の発生した流体配管系統中の流体機器又は分岐管を指定された新たな流体機器又は分岐管に取り替える必要が生じたとき、或いは、前記流体管の分岐管部に発生した漏水を修理する必要が生じたとき、分岐管部の基端開口に対して同芯又は略同芯状態で相対向する流体管の管壁に作業用管部を突設して、この作業用管部に第１開閉弁を介して連結した穿孔装置にて挿入口を形成することにより、この挿入口を通して分岐管部の基端開口側から差し入れられた閉塞装置の閉塞手段にて分岐管部の流路を基端開口側において確実に閉塞（遮断）することができる。
【００３０】
従って、例え、分岐管部と流体機器との間に開閉弁が介装されていない状況下でも、或いは、流体管の分岐管部が屈曲又は湾曲している条件下においても、分岐管部の流路遮断作業を漏水の無い状態で能率良く確実、容易に行うことができ、しかも、施工コスト面でも有利に実施することができる。
そして、本発明による第１の特徴構成は、流体管の分岐管部に接続されている流体機器又は分岐管を、流体管での流体輸送を維持したまま更新する流体配管系の流体機器・分岐管更新方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具で流体管の管壁に挿入口を形成する工程、
前記開閉弁から穿孔装置を撤去する工程、
前記開閉弁、作業用管部、流体管内を通して送り込まれる閉塞装置の閉塞手段で分岐管部の流路を閉塞する工程、
前記分岐管部に接続されている旧の流体機器又は分岐管を撤去する工程、
前記分岐管部に新たな流体機器又は分岐管を連結する工程、
前記開閉弁から閉塞装置を撤去する工程、
を備えた点にある。
本発明による第２の特徴構成は、流体管の分岐管部に接続されている流体機器又は分岐管を、流体管での流体輸送を維持したまま更新する流体配管系の流体機器・分岐管更新方法であって、
前記流体管の管壁外周面における分岐管部の基端開口に相対向する部位に作業用管部を設ける工程、
前記作業用管部に連結された第１開閉弁及び作業用管部を通して送り込まれる穿孔装置の穿孔具で流体管の管壁に挿入口を形成する工程、
前記第１開閉弁から穿孔装置を撤去する工程、
前記第１開閉弁、作業用管部、流体管内を通して送り込まれる閉塞装置の閉塞手段で分岐管部の流路を閉塞する工程、
前記分岐管部に接続されている旧の流体機器又は分岐管を撤去し、前記分岐管部に第２開閉弁を連結する工程、
前記第２開閉弁に閉塞装置を連結し、前記第２開閉弁、分岐管部、流体管内を通して送り込まれる閉塞装置の閉塞手段で作業用管部の流路を閉塞する工程、
前記作業用管部から第１開閉弁を撤去し、前記作業用管部にそれの端部開口を密封する蓋体を連結する工程、
前記第２開閉弁から閉塞装置を撤去し、前記第２開閉弁に新たな流体機器又は分岐管を連結する工程、
を備えた点にある。
本発明による第３の特徴構成は、流体管の分岐管部に接続されている分岐管又は流体機器を、流体管での流体輸送を維持したまま撤去する流体配管系の分岐管・流体機器撤去方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具で流体管の管壁に挿入口を形成する工程、
前記開閉弁から穿孔装置を撤去する工程、
前記開閉弁、作業用管部、流体管内を通して送り込まれる閉塞装置の閉塞手段で分岐管部の流路を閉塞する工程、
前記分岐管部に接続されている旧の流体機器又は分岐管を撤去する工程、
前記分岐管部にそれの端部開口を密封する蓋体を連結する工程、
前記開閉弁から閉塞装置を撤去する工程、
を備えた点にある。
本発明による第４の特徴構成は、流体管の分岐管部の流路を、流体管での流体輸送を維持したまま遮断する流体配管系の分岐管部遮断方法であって、
前記流体管の管壁外周面における分岐管部の基端開口に相対向する部位に作業用管部を設ける工程、
前記作業用管部に連結された開閉弁及び作業用管部を通して送り込まれる穿孔装置の穿孔具により、分岐管部の流路を閉塞する閉塞装置の閉塞手段を送り込むための挿入口を形成する工程、
を備えた点にある。
【発明を実施するための最良の形態】
【００３１】
〔第１実施形態〕
図１〜図９は、流体配管系を構成する流体管の一例である水道管１の途中に径方向外方に向かって一体的に突出形成された直線状の分岐管部２の連結フランジ部（連結部の一例）２Ａに、流体機器の一例である空気弁３の上流側端部（下側端部）に形成された連結フランジ部（連結部の一例）３Ａが、締結具の一例であるボルト４・ナット５を介して脱着自在に水密状態（密封状態）で締付け連結されている分岐接続構造において、水道管１内の上水（流体の一例である水道水）の流れを維持した不断水状態のまま、設定耐久年数に至った又は劣化による漏水や故障等の理由で前記空気弁３を、図９に示すような選定された新たな第２開閉弁３２及び新たな空気弁３に更新する流体機器更新方法及びその方法に用いられる分岐管部遮断方法であって、下記のステップ［１］〜［７］から構成されている。
【００３２】
［１］図２に示すように、前記水道管１の管壁の外周面のうち、分岐管部２の基端開口２ａに対して水道管１の管軸芯Ｘを挟んで径方向で相対向する部位に、分岐管部２と同じ内径の直線状の作業用管部６を、分岐管部２と同芯又は略同芯状態で径方向外方に向かって突設する。
【００３３】
この作業用管部６の基端部には、水道管１の管壁外周面と同じ曲率で湾曲形成された当て板部６Ａが一体的に連設され、水道管１の管壁外周面に沿って径方向外方から当て付けられた当て板部６Ａの外周縁全域を溶接で水道管１の管壁外周面に固着することにより、水道管１の管壁に対して作業用管部６を水密状態（密封状態）で取付けるとともに、前記作業用管部６の先端部には、分岐管部２の連結フランジ部２Ａと同一形状の連結フランジ部（連結部の一例）６Ｂが一体形成されている。
【００３４】
［２］図３に示すように、前記作業用管部６の連結フランジ部６Ｂに、流体機器の一例である新たな第１開閉弁（補修弁）７の上流側の連結フランジ部７Ａを、締結具の一例であるボルト４・ナット５を介して水密状態（密封状態）で固定連結するとともに、この第１開閉弁７の下流側の連結フランジ部７Ｂには、第１開閉弁７及び作業用管部６の各内部を通して水道管１の管壁に挿入口８を穿孔可能な先端穿孔具９を備えた穿孔装置Ａの連結フランジ部１３Ａを、締結具の一例であるボルト４・ナット５を介して水密状態（密封状態）で固定連結する。
【００３５】
前記穿孔装置Ａは、先端穿孔具９を備えた駆動回転軸１０に駆動回転力を付与する周知構造の駆動回転手段と駆動回転軸１０に送り力を付与する周知構造の送り手段とが組み付けられている穿孔本体ケース１１の連結フランジ部１１Ａに、先端穿孔具９の収納空間１２を備えた連結ケース１３の下流側連結フランジ部１３Ｂが、締結具の一例であるボルト４・ナット５を介して水密状態（密封状態）で固定連結されているとともに、前記連結ケース１３の上流側連結フランジ部１３Ａが、第１開閉弁７の下流側の連結フランジ部７Ｂにボルト４・ナット５を介して水密状態（密封状態）で固定連結されている。
【００３６】
前記先端穿孔具９は、先端部に切削チップが設けられている有底円筒状のホールソー９Ａと、これの底部の回転中心位置から切削チップよりも前方に突出する状態で設けられるセンタードリル９Ｂとから構成されている。
【００３７】
［３］図４に示すように、前記第１開閉弁７の操作レバー７Ｄを操作してボール弁体７Ｃを開弁作動させたのち、穿孔装置Ａの駆動回転軸１０を駆動回転させながら第１開閉弁７及び作業用管部６の各内部を通して先端穿孔具９を水道管１の管壁側に送り込むことにより、作業用管部６の基端開口に対応する水道管１の管壁に、前記分岐管部２の基端開口
２ａと同芯又は略同芯状態で挿入口８を穿孔する。
【００３８】
この穿孔装置Ａによる穿孔工程が終了すると、穿孔装置Ａの先端穿孔具９を連結ケース１３の収納空間１２内に引き出したのち、第１開閉弁７を閉弁操作するとともに、この第１開閉弁７から穿孔装置Ａを撤去する。
【００３９】
［４］図５に示すように、穿孔装置Ａが撤去された第１開閉弁７の下流側連結フランジ部７Ｂに、分岐管部２の流路Ｗを閉塞可能な閉塞手段Ｃを備えた閉塞装置Ｂの連結フランジ部１５Ａを、締結具の一例であるボルト４・ナット５を介して水密状態（密封状態）で固定連結する。
【００４０】
前記閉塞装置Ｂは、図４〜図８に示すように、第１開閉弁７の下流側連結フランジ部７Ｂに対してボルト４・ナット５で着脱自在に固定連結される連結フランジ部１５Ａを備えた有底筒状の閉塞ケース１５の底壁部１５Ｂに、この底壁部１５Ｂの中央部を水密状態で軸芯方向に摺動自在に貫通する筒状の第１操作軸１６と、この第１操作軸１６内を軸芯方向に摺動自在に貫通する第２操作軸１７とが設けられ、この第１操作軸１６及び第２操作軸１７の内端側には、分岐管部２内の流路Ｗを遮断するための閉塞手段Ｃが設けられているとともに、前記閉塞手段Ｃを外部から両操作軸１６，１７を介して操作する操作手段Ｄが設けられている。
【００４１】
前記閉塞手段Ｃを構成するに、図５に示すように、第１操作軸１６の内端部に、円環状の押圧面１８ａを備えた第１押圧板１８が外嵌固定され、第２操作軸１７の内端側には、第１押圧板１８の押圧面１８ａと軸芯方向で相対向する円環状の押圧面１９ａを備えた第２押圧板１９が外嵌されているとともに、前記両押圧板１８，１９の押圧面１８ａ，１９ａ間には、これらによる軸芯方向からの挟圧により、分岐管部２の内周壁面に密着する拡径状態に弾性変形してその内周壁面と両押圧板１８，１９の外周部との間を閉塞する、つまり流路Ｗを遮断するゴム製の拡径用弾性体２０が外装されている。
【００４２】
前記操作手段Ｄは、前記第２操作軸１７の外側端側に形成されたネジ軸部に、第１操作軸１６の外側端部にスラストベアリング２１を介して当接可能な操作ネジ部材２２を螺合して構成されている。
【００４３】
そして、前記操作ネジ部材２２を締付け側に螺合操作すると、図６に示すように、第２操作軸１７に対して第１操作軸１６が内端側に押込み摺動され、第２押圧板１９の押圧面１９ａに対する第１押圧板１８の押圧面１８ａの近接移動に伴う挟圧作用により、非圧縮状態にある拡径用弾性体２０が分岐管部２の内周壁面に密着する拡径状態に弾性変形して、分岐管部２内の流路Ｗを水密（密封）状態で遮断することができる。
【００４４】
また、前記第１操作軸１６の外端部には、図５に示すように、第１押え操作杆２４が脱着自在に嵌合保持され、この第１押え操作杆２４には、第２操作軸１７の外端部に脱着自在に嵌合保持された第２押え操作杆２５に対して係脱操作自在で、係合状態では水圧に抗して第１操作軸１６に対する第２操作軸１７の外端側への摺動を阻止する第１係止リング２６と、閉塞ケース１５の底壁部１５Ｂに固着されたＬ型の一対の係止片２７に対して係脱操作自在で、係合状態では水圧に抗して閉塞ケース１５に対する第１操作軸１６の外端側への摺動を阻止する第２係止リング２８が設けられている。
【００４５】
更に、前記両操作軸１６，１７の軸芯方向での位置関係は、第１係止リング２６によって規制されていて、その状態では両押圧板１８，１９の対向間隔が拡径用弾性体２０を圧縮しない又はそれに近い間隔に設定されているため、拡径用弾性体２０は縮径状態に維持されている。
【００４６】
前記閉塞ケース１５の底壁部１５Ｂ側に偏倚した周壁に接続された排水管２９には、閉塞手段Ｃによって分岐管部２内の流路Ｗが完全に遮断されたか否かを放水の有無によって確認するための開閉操作レバー３０Ａを備えた水栓３０が設けられている。
【００４７】
［５］図６に示すように、前記第１開閉弁７を開弁操作して、閉塞装置Ｂの閉塞ケース１５内に収納されていた閉塞手段Ｃを第１開閉弁７の内部流路、作業用管部６の内部流路、管壁に形成された挿入孔８を通して分岐管部２内の流路閉塞位置に送り込み、この状態で前記操作ネジ部材２２を締付け側に螺合操作し、第２押圧板１９の押圧面１９ａに対する第１押圧板１８の押圧面１８ａの近接移動に伴う挟圧作用により、非圧縮状態にある拡径用弾性体２０を分岐管部２の内周壁面に密着する拡径状態に弾性変形させ、その分岐管部２内の流路Ｗを水密（密封）状態で遮断する。
【００４８】
［６］図７、図８に示すように、前記分岐管部２の連結フランジ部２Ａに接続されている旧の空気弁３を撤去したのち、この分岐管部２の連結フランジ部２Ａに、新たな流体機器の一例で、操作レバー３２Ｃの操作でボール弁体３２Ｄを開閉作動させる第２開閉弁３２の上流側の連結フランジ部３２Ａを、締結具の一例であるボルト４・ナット５を介して水密状態（密封状態）で固定連結するとともに、この第２開閉弁３２の下流側の連結フランジ部３２Ｂには、新たな流体機器の一例である空気弁３３の連結フランジ部３３Ａを、締結具の一例であるボルト４・ナット５を介して水密状態（密封状態）で固定連結する。
【００４９】
［７］図９に示すように、前記閉塞装置Ｂの操作ネジ部材２２を緩み側に螺合操作し、第２押圧板１９の押圧面１９ａに対する第１押圧板１８の押圧面１８ａの離間移動に伴う挟圧解除作用により、圧縮状態にある拡径用弾性体２０を非圧縮状態又はそれに近い状態にまで縮径側に弾性復帰させ、分岐管部２内の流路Ｗの遮断を解除する。
【００５０】
次に、前記分岐管部２内の流路閉塞位置にある閉塞装置Ｂの閉塞手段Ｃを、管壁の挿入孔８、作業用管部６の内部流路、第１開閉弁７の内部流路を通して閉塞ケース１５内に引き出したのち、第１開閉弁７を閉弁操作した状態で閉塞装置Ｂを撤去するとともに、閉塞装置Ｂが撤去された第１開閉弁７の下流側の連結フランジ部７Ｂには、第１開閉弁７の下流側開口を密閉するための蓋体３４を、締結具の一例であるボルト４・ナット５を介して水密状態（密封状態）で固定連結する。
【００５１】
尚、上述の第１実施形態では、流体機器更新方法を主体に説明したが、分岐管部遮断方法は上述の［１］〜［５］までの工程から構成されており、特に、この分岐管部遮断方法においては、耐久年数に至った又は漏水や故障の発生した流体配管系統中の流体機器又は分岐管を指定された新たな流体機器又は分岐管に取り替える必要が生じたとき、或いは、前記水道管１の分岐管部２に発生した漏水を修理する必要が生じたときに好適に実施することができる。
【００５２】
そして、分岐管部２の基端開口２ａに対して同芯又は略同芯状態で相対向する水道管１の管壁に作業用管部６を突設して、この作業用管部６に第１開閉弁７を介して連結した穿孔装置Ａにて挿入口８を形成することにより、この挿入口８を通して分岐管部２の基端開口２ａ側から差し入れられた閉塞装置Ｂの閉塞手段Ｃにて分岐管部２の流路Ｗを基端開口２ａ側において確実に閉塞（遮断）することができる。
【００５３】
従って、例え、分岐管部２と流体機器との間に開閉弁が介装されていない状況下でも、或いは、水道管１の分岐管部２が屈曲又は湾曲している条件下においても、分岐管部２の流路遮断作業を漏水の無い状態で能率良く確実、容易に行うことができ、しかも、施工コスト面でも有利に実施することができる。
【００５４】
また、上述の第１実施形態では、空気弁や開閉弁等の流体機器の更新方法について説明したが、図２４に示すように、前記水道管１の分岐管部２に接続されている分岐管４０を、水道管１での上水輸送（流体輸送）を維持した不断水状態のまま更新する方法にも好適に実施することができる。
【００５５】
〔第２実施形態〕
上述の流体機器更新方法及び分岐管部遮断方法の第１実施形態では、前記水道管１の分岐管部２に第１開閉弁７を固定連結したままで更新作業を終了したが、第１実施形態の図８以降の工程を図１０〜図１４に示す工程に変更して、水道管１の作業用管部６から第１開閉弁７を撤去するように構成してもよい。
【００５６】
［８］図１０に示すように、前記分岐管部２の連結フランジ部２Ａに接続されている旧の空気弁３を撤去したのち、この分岐管部２の連結フランジ部２Ａに、新たな流体機器の一例で閉弁状態にある第２開閉弁３２の上流側の連結フランジ部３２Ａを、締結具の一例であるボルト４・ナット５を介して水密状態（密封状態）で固定連結したのち、前記閉塞装置Ｂの操作ネジ部材２２を緩み側に螺合操作し、第２押圧板１９の押圧面１９ａに対する第１押圧板１８の押圧面１８ａの離間移動に伴う挟圧解除作用により、圧縮状態にある拡径用弾性体２０を非圧縮状態又はそれに近い状態にまで縮径側に弾性復帰させ、分岐管部２内の流路Ｗの遮断を解除する。
次に、前記分岐管部２内の流路閉塞位置にある閉塞装置Ｂの閉塞手段Ｃを、管壁の挿入孔８、作業用管部６の内部流路、第１開閉弁７の内部流路を通して閉塞ケース１５内に引き出したのち、第１開閉弁７を閉弁操作した状態で閉塞装置Ｂを撤去する。
【００５７】
［９］図１１に示すように、前記第２開閉弁３２の下流側の連結フランジ部３２Ｂに、撤去された閉塞装置Ｂの連結フランジ部１５Ａを、締結具の一例であるボルト４・ナット５を介して水密状態（密封状態）で固定連結する。
【００５８】
［１０］図１２に示すように、前記第２開閉弁３２の操作レバー３２Ｃを操作してボール弁体３２Ｄを開弁作動させたのち、閉塞装置Ｂの閉塞ケース１５内に収納されていた閉塞手段Ｃを分岐管部２の内部流路Ｗ、管壁に形成された挿入孔８を通して作業用管部６内の流路閉塞位置に送り込み、この状態で前記操作ネジ部材２２を締付け側に螺合操作し、第２押圧板１９の押圧面１９ａに対する第１押圧板１８の押圧面１８ａの近接移動に伴う挟圧作用により、非圧縮状態にある拡径用弾性体２０を作業用管部６の内周壁面に密着する拡径状態に弾性変形させ、作業用管部６内の流路を水密（密封）状態で遮蔽する。
【００５９】
［１１］図１３に示すように、前記作業用管部６の連結フランジ部６Ｂに接続されている第１開閉弁７を撤去したのち、この作業用管部６の連結フランジ部６Ｂに、該作業用管部６の下流側開口を密閉するための蓋体３５を、締結具の一例であるボルト４・ナット５を介して水密状態（密封状態）で固定連結する。
【００６０】
［１２］図１３、図１４に示すように、前記閉塞装置Ｂの操作ネジ部材２２を緩み側に螺合操作し、圧縮状態にある拡径用弾性体２０を非圧縮状態又はそれに近い状態にまで縮径側に弾性復帰させ、作業用管部６内の流路の遮蔽を解除する。
次に、前記作業用管部６内の流路閉塞位置にある閉塞装置Ｂの閉塞手段Ｃを、管壁の挿入孔８、分岐管部２の内部流路Ｗ、第２開閉弁３２の内部流路を通して閉塞ケース１５内に引き出したのち、第２開閉弁３２を閉弁操作した状態で閉塞装置Ｂを撤去するとともに、前記第２開閉弁３２の下流側連結フランジ部３２Ｂに、新たな流体機器の一例である空気弁３３の連結フランジ部３３Ａを、締結具の一例であるボルト４・ナット５を介して水密状態（密封状態）で固定連結する。
【００６１】
尚、その他の構成は、第１実施形態で説明した構成と同一であるから、同一の構成箇所には、第１実施形態と同一の番号を付記してそれの説明は省略する。
また、上述の第２実施形態では、空気弁や開閉弁等の流体機器の更新方法について説明したが、図２４に示すように、水道管１の分岐管部２に接続されている分岐管４０を、水道管１での上水輸送（流体輸送）を維持した不断水状態のまま更新する方法にも好適に実施することができる。
【００６２】
〔第３実施形態〕
上述の第１実施形態及び第２実施形態では、作業用管部６の基端部に、水道管１の管壁外周面と同じ曲率で湾曲形成された当て板部６Ａを一体的に連設し、水道管１の管壁外周面に沿って径方向外方から当て付けられた当て板部６Ａの外周縁全域を溶接で水道管１の管壁外周面に固着するように構成したが、図１５〜図１９に示すように、前記作業用管部６の基端部に、水道管１の管壁外周面に対して径方向の一側方である下方側から弾性シール材を介在させた状態で当て付けられる弧状取付け板３８を連設するとともに、前記弧状取付け板３８を水道管１の管壁外周面に水密状態で締付け固定する締結手段３９を設けて実施してもよい。
【００６３】
前記締結手段３９は、水道管１の管壁外周面に対して径方向の他側方である上方側から当て付けられる一対のＵ字状ボルト３９Ａと、各Ｕ字状ボルト３９Ａの両端側に形成されたネジ軸部３９ａのうち、弧状取付け板３８の周方向両端部の連結フランジ部３８Ａに形成されている取付け孔に挿通されたネジ軸部分に螺合される締結用ナット３９Ｂとから構成されている。
【００６４】
そして、この第３実施形態での流体機器更新方法及びその方法に用いられる分岐管部遮断方法を簡単に説明すると、下記のステップ［１３］〜［１６］からなる。
【００６５】
［１３］図１５、図１６に示すように、前記水道管１の管壁外周面に、作業用管部６の基端部に連設された弧状取付け板３８をそれの内面側に弾性シール材を介在させた状態で当て付けるとともに、前記締結手段３９を構成するＵ字状ボルト３９Ａ及び締結用ナット３９Ｂにより、分岐管部２の基端開口２ａに対して水道管１の管軸芯Ｘを挟んで径方向で相対向する部位において、作業用管部６が分岐管部２と同芯又は略同芯状態で径方向外方に向かって突設する状態で弧状取付け板３８を水道管１の管壁外周面に水密状態（密封状態）で締め付け固定する。
【００６６】
［１４］図１７に示すように、前記作業用管部６の連結フランジ部６Ｂに、流体機器の一例である新たな第１開閉弁（補修弁）７の上流側の連結フランジ部７Ａを、ボルト４・ナット５を介して水密状態で固定連結するとともに、この第１開閉弁７の下流側の連結フランジ部７Ｂには、第１開閉弁７及び作業用管部６の各内部を通して水道管１の管壁に挿入口８を穿孔可能な先端穿孔具９を備えた穿孔装置Ａの連結フランジ部１３Ａを、ボルト４・ナット５を介して水密状態で固定連結する。
【００６７】
次に、前記第１開閉弁７の操作レバー７Ｄを操作してボール弁体７Ｃを開弁作動させたのち、穿孔装置Ａの駆動回転軸１０を駆動回転させながら第１開閉弁７及び作業用管部６の各内部を通して先端穿孔具９を水道管１の管壁側に送り込むことにより、作業用管部６の基端開口に対応する水道管１の管壁に、前記分岐管部２と同芯又は略同芯状態で挿入口８を穿孔する。
【００６８】
この穿孔装置Ａによる穿孔作業が終了すると、穿孔装置Ａの先端穿孔具９を連結ケース１３の収納空間１２内に引き出したのち、第１開閉弁７を閉弁操作するとともに、この第
１開閉弁７から穿孔装置Ａを撤去する。
【００６９】
［１５］図１８に示すように、穿孔装置Ａが撤去された第１開閉弁７の下流側連結フランジ部７Ｂに、分岐管部２内の流路Ｗを閉塞可能な閉塞手段Ｃを備えた閉塞装置Ｂの連結フランジ部１５Ａを、ボルト４・ナット５を介して水密状態で固定連結する。
【００７０】
前記第１開閉弁７を開弁操作して、閉塞装置Ｂの閉塞ケース１５内に収納されていた閉塞手段Ｃを第１開閉弁７の内部流路、作業用管部６の内部流路、管壁に形成された挿入孔８を通して分岐管部２内の流路閉塞位置に送り込み、分岐管部２内の流路Ｗを水密状態で遮蔽する。
【００７１】
［１６］図１９に示すように、前記分岐管部２の連結フランジ部２Ａに接続されている旧の空気弁３を撤去したのち、この分岐管部２の連結フランジ部２Ａに、新たな流体機器の一例である第２開閉弁３２及び空気弁３３をそれぞれボルト４・ナット５を介して水密状態で固定連結する。
【００７２】
次に、前記閉塞装置Ｂの拡径用弾性体２０を非圧縮状態又はそれに近い状態にまで縮径側に弾性復帰させ、分岐管部２内の流路Ｗの遮蔽を解除したのち、前記分岐管部２内の流路閉塞位置にある閉塞装置Ｂの閉塞手段Ｃを、管壁の挿入孔８、作業用管部６の内部流路、第１開閉弁７の内部流路を通して閉塞ケース１５内に引き出したのち、第１開閉弁７を閉弁操作した状態で閉塞装置Ｂを撤去するとともに、閉塞装置Ｂが撤去された第１開閉弁７の下流側の連結フランジ部７Ｂには、第１開閉弁７の下流側開口を密閉するための蓋体３４を、ボルト４・ナット５を介して水密状態で固定連結する。
【００７３】
尚、その他の構成は、第１実施形態で説明した構成と同一であるから、同一の構成箇所には、第１実施形態と同一の番号を付記してそれの説明は省略する。
また、上述の第３実施形態では、前記水道管１の分岐管部２に第１開閉弁７を固定連結したままで更新作業を終了したが、第２実施形態で説明した図１０〜図１４に示す工程を追加して、水道管１の作業用管部６から第１開閉弁７を撤去するように構成してもよい。
更に、上述の第３実施形態では、空気弁や開閉弁等の流体機器の更新方法について説明したが、図２４に示すように、前記水道管１の分岐管部２に接続されている分岐管４０を、水道管１での流体輸送を維持したまま更新する方法にも好適に実施することができる。
【００７４】
〔第４実施形態〕
上述の各実施形態では、前記水道管１の分岐管部２を径方向外方に向かって一直線状に突設したが、図２０〜図２３に示すように、前記水道管１の分岐管部２を、該水道管１の接線方向に沿って突出するＬ字状に湾曲形成している分岐接続構造であっても、本発明の流体機器更新方法及び分岐管部遮断方法を適用することができる。
つまり、この流体機器更新方法及び分岐管部遮断方法は、下記のステップ［１７］〜［２０］から構成されている。
【００７５】
［１７］図２０に示すように、前記水道管１の管壁の外周面のうち、分岐管部２の基端開口２ａに対して水道管１の略接線方向（水平方向）で相対向する部位に、分岐管部２と同じ内径の直線状の作業用管部６を、分岐管部２と同芯又は略同芯状態で径方向外方に向かって突設する。
【００７６】
この作業用管部６の基端部には、水道管１の管壁外周面と同じ曲率で湾曲形成された当て板部６Ａが一体的に連設され、水道管１の管壁外周面に沿って径方向外方から当て付けられた当て板部６Ａの外周縁全域を溶接で水道管１の管壁外周面に固着することにより、水道管１の管壁に対して作業用管部６を水密状態で取付けている。
【００７７】
［１８］図２１に示すように、前記作業用管部６の連結フランジ部６Ｂに、流体機器の一例である新たな第１開閉弁（補修弁）７の上流側の連結フランジ部７Ａを、ボルト４・ナット５を介して水密状態で固定連結するとともに、この第１開閉弁７の下流側の連結フランジ部７Ｂには、第１開閉弁７及び作業用管部６の各内部を通して水道管１の管壁に挿入口８を穿孔可能な先端穿孔具９を備えた穿孔装置Ａの連結フランジ部１３Ａを、ボルト４・ナット５を介して水密状態で固定連結する。
【００７８】
次に、前記第１開閉弁７の操作レバー７Ｄを操作してボール弁体７Ｃを開弁作動させたのち、穿孔装置Ａの駆動回転軸１０を駆動回転させながら第１開閉弁７及び作業用管部６の各内部を通して先端穿孔具９を水道管１の管壁側に送り込むことにより、作業用管部６の基端開口に対応する水道管１の管壁に、前記分岐管部２と同芯又は略同芯状態で挿入口８を略接線方向から穿孔する。
【００７９】
この穿孔装置Ａによる穿孔作業が終了すると、穿孔装置Ａの先端穿孔具９を連結ケース１３の収納空間１２内に引き出したのち、第１開閉弁７を閉弁操作するとともに、この第１開閉弁７から穿孔装置Ａを撤去する。
【００８０】
［１９］図２２に示すように、穿孔装置Ａが撤去された第１開閉弁７の下流側連結フランジ部７Ｂに、分岐管部２の流路を閉塞可能な閉塞手段Ｃを備えた閉塞装置Ｂの連結フランジ部１５Ａを、ボルト４・ナット５を介して水密状態で固定連結する。
【００８１】
前記第１開閉弁７を開弁操作して、閉塞装置Ｂの閉塞ケース１５内に収納されていた閉塞手段Ｃを第１開閉弁７の内部流路、作業用管部６の内部流路、管壁に形成された挿入孔８を通して分岐管部２内の流路閉塞位置に送り込み、分岐管部２内の流路Ｗを水密状態で遮蔽する。
【００８２】
［２０］図２３に示すように、前記分岐管部２の連結フランジ部２Ａに接続されている旧の空気弁３を撤去したのち、この分岐管部２の連結フランジ部２Ａに、新たな流体機器の一例である第２開閉弁３２及び空気弁３３をそれぞれボルト４・ナット５を介して水密状態で固定連結する。
【００８３】
次に、前記閉塞装置Ｂの拡径用弾性体２０を非圧縮状態又はそれに近い状態にまで縮径側に弾性復帰させ、分岐管部２内の流路Ｗの遮蔽を解除したのち、前記分岐管部２内の流路閉塞位置にある閉塞装置Ｂの閉塞手段Ｃを、管壁の挿入孔８、作業用管部６の内部流路、第１開閉弁７の内部流路を通して閉塞ケース１５内に引き出したのち、第１開閉弁７を閉弁操作した状態で閉塞装置Ｂを撤去するとともに、閉塞装置Ｂが撤去された第１開閉弁７の下流側の連結フランジ部７Ｂには、第１開閉弁７の下流側開口を密閉するための蓋体３４を、ボルト４・ナット５を介して水密状態で固定連結する。
尚、その他の構成は、第１実施形態で説明した構成と同一であるから、同一の構成箇所には、第１実施形態と同一の番号を付記してそれの説明は省略する。
【００８４】
また、上述の第４実施形態では、空気弁や開閉弁等の流体機器の更新方法について説明したが、前記水道管１の分岐管部２に接続されている分岐管を、水道管１での流体輸送を維持したまま更新する方法にも好適に実施することができる。
【００８５】
〔第５実施形態〕
図２４に示すように、流体配管系を構成する流体管の一例である水道管１の途中に径方向外方に向かって一体的に突出形成された直線状の分岐管部２の連結フランジ部（連結部の一例）２Ａに、分岐管４０の上流側端部（下端側端部）に形成された連結フランジ部（
連結部の一例）４０Ａが、締結具の一例であるボルト４・ナット５を介して脱着自在に密封状態で締付け連結されている分岐接続構造において、水道管１内の上水の流れを維持した不断水状態のまま、耐久年数や流体配管系の変更等の理由で前記分岐管４０を撤去する分岐管撤去方法及びその方法に用いられる分岐管部遮断方法であって、下記のステップ［２１］〜［２４］から構成されている。
【００８６】
［２１］図２５に示すように、前記水道管１の管壁の外周面のうち、分岐管部２の基端開口２ａに対して水道管１の管軸芯Ｘを挟んで径方向で相対向する部位に、分岐管部２と同じ内径の直線状の作業用管部６を、分岐管部２と同芯又は略同芯状態で径方向外方に向かって突設する。
【００８７】
この作業用管部６の基端部には、水道管１の管壁外周面と同じ曲率で湾曲形成された当て板部６Ａが一体的に連設され、水道管１の管壁外周面に沿って径方向外方から当て付けられた当て板部６Ａの外周縁全域を溶接で水道管１の管壁外周面に固着することにより、水道管１の管壁に対して作業用管部６を水密状態で取付けている。
【００８８】
前記作業用管部６の連結フランジ部６Ｂには、流体機器の一例である新たな第１開閉弁（補修弁）７の上流側の連結フランジ部７Ａを、ボルト４・ナット５を介して水密状態で固定連結する。
【００８９】
［２２］図２６に示すように、前記第１開閉弁７の下流側の連結フランジ部７Ｂには、第１開閉弁７及び作業用管部６の各内部を通して水道管１の管壁に挿入口８を穿孔可能な先端穿孔具９を備えた穿孔装置Ａの連結フランジ部１３Ａを、ボルト４・ナット５を介して水密状態で固定連結する。
【００９０】
次に、前記第１開閉弁７の操作レバー７Ｄを操作してボール弁体７Ｃを開弁作動させたのち、穿孔装置Ａの駆動回転軸１０を駆動回転させながら第１開閉弁７及び作業用管部６の各内部を通して先端穿孔具９を水道管１の管壁側に送り込むことにより、作業用管部６の基端開口に対応する水道管１の管壁に、前記分岐管部２と同芯又は略同芯状態で挿入口８を径方向から穿孔する。
【００９１】
この穿孔装置Ａによる穿孔作業が終了すると、穿孔装置Ａの先端穿孔具９を連結ケース１３の収納空間１２内に引き出したのち、第１開閉弁７を閉弁操作するとともに、この第１開閉弁７から穿孔装置Ａを撤去する。
【００９２】
［２３］図２７、図２８に示すように、穿孔装置Ａが撤去された第１開閉弁７の下流側連結フランジ部７Ｂに、分岐管部２の流路を閉塞可能な閉塞手段Ｃを備えた閉塞装置Ｂの連結フランジ部１５Ａを、ボルト４・ナット５を介して水密状態で固定連結する。
【００９３】
前記第１開閉弁７を開弁操作して、閉塞装置Ｂの閉塞ケース１５内に収納されていた閉塞手段Ｃを第１開閉弁７の内部流路、作業用管部６の内部流路、管壁に形成された挿入孔８を通して分岐管部２内の流路閉塞位置に送り込み、分岐管部２内の流路Ｗを水密状態で遮蔽し、前記分岐管部２の連結フランジ部２Ａに接続されている分岐管４０を撤去する。
【００９４】
［２４］図２９、図３０に示すように、前記分岐管部２の連結フランジ部２Ａに、分岐管部２の下流側開口を密閉するための蓋体３４を、ボルト４・ナット５を介して水密状態で固定連結したのち、前記閉塞装置Ｂの拡径用弾性体２０を非圧縮状態又はそれに近い状態にまで縮径側に弾性復帰させ、分岐管部２内の流路Ｗの遮蔽を解除したのち、前記分岐管部２内の流路閉塞位置にある閉塞装置Ｂの閉塞手段Ｃを、管壁の挿入孔８、作業用管部６の内部流路、第１開閉弁７の内部流路を通して閉塞ケース１５内に引き出したのち、第
１開閉弁７を閉弁操作した状態で閉塞装置Ｂを撤去するとともに、閉塞装置Ｂが撤去された第１開閉弁７の下流側の連結フランジ部７Ｂには、第１開閉弁７の下流側開口を密閉するための蓋体３４を、ボルト４・ナット５を介して水密状態で固定連結する。
【００９５】
尚、その他の構成は、第１実施形態で説明した構成と同一であるから、同一の構成箇所には、第１実施形態と同一の番号を付記してそれの説明は省略する。
上述の第５実施形態では、前記水道管１の分岐管部２に接続されている分岐管４０を、水道管１での上水輸送（流体輸送）を維持した不断水状態のまま撤去する方法について説明したが、空気弁や開閉弁等の流体機器を、水道管１での上水輸送（流体輸送）を維持した不断水状態のまま撤去する方法においても好適に実施することができる。
【００９６】
〔第６実施形態〕
上述の第５実施形態では、作業用管部６の基端部に、水道管１の管壁外周面と同じ曲率で湾曲形成された当て板部６Ａを一体的に連設し、水道管１の管壁外周面に沿って径方向外方から当て付けられた当て板部６Ａの外周縁全域を溶接で水道管１の管壁外周面に固着するように構成したが、図３１、図３２に示すように、前記作業用管部６の基端部に、水道管１の管壁外周面に対して径方向の一側方である下方側から弾性シール材を介在させた状態で当て付けられる弧状取付け板３８を連設するとともに、前記弧状取付け板３８を水道管１の管壁外周面に水密状態で締付け固定する締結手段３９を設けて実施してもよい。
【００９７】
前記締結手段３９は、水道管１の管壁外周面に対して径方向の他側方である上方側から当て付けられる一対のＵ字状ボルト３９Ａと、各Ｕ字状ボルト３９Ａの両端側に形成されたネジ軸部３９ａのうち、弧状取付け板３８の周方向両端部の連結フランジ部３８Ａに形成されている取付け孔に挿通されたネジ軸部分に螺合される締結用ナット３９Ｂとから構成されている。
尚、その他の構成は、第５実施形態で説明した構成と同一であるから、同一の構成箇所には、第５実施形態と同一の番号を付記してそれの説明は省略する。
【００９８】
〔その他の実施形態〕
（１）上述の第１実施形態では、水道管等の流体管１の途中に分岐管部２を一体形成してある流体配管系統について説明したが、流体管１に、それの周方向に沿って脱着自在に固定連結される複数の分割継手体を備え、かつ、一つの分割継手体に流体管１に形成された貫通孔に対して管径方向から連通する分岐管部２を突設してある管継手が装着されている分岐接続構造においても本願発明の方法を適用することができる。
【図面の簡単な説明】
【００９９】
【図１】本発明の流体機器更新方法及び分岐管部遮断方法の第１実施形態を示す一部切欠側面図
【図２】作業用管部を連設したときの一部切欠側面図
【図３】作業用管部に第１開閉弁及び穿孔装置を連結したときの一部切欠側面図
【図４】穿孔装置による穿孔時の一部切欠側面図
【図５】第１開閉弁に閉塞装置を連結したときの断面側面図
【図６】分岐管部の流路を閉塞装置で閉塞したときの断面側面図
【図７】分岐管部から旧の空気弁を取り外したときの断面側面図
【図８】新たな第２開閉弁及び空気弁を連結したときの断面側面図
【図９】更新後の側面図
【図１０】本発明の流体機器更新方法及び分岐管部遮断方法の第２実施形態を示し、分岐管部に第２開閉弁を連結したときの断面側面図
【図１１】第２開閉弁に閉塞装置を連結したときの断面側面図
【図１２】作業用管部の流路を閉塞したときの断面側面図
【図１３】第１開閉弁を撤去したときの断面側面図
【図１４】閉塞装置を撤去し、新たな空気弁を連結したときの断面側面図
【図１５】本発明の流体機器更新方法及び分岐管部遮断方法の第３実施形態を示し、作業用管部を連設したときの側面図
【図１６】作業用管部を連設したときの断面正面図
【図１７】第１開閉弁に閉塞装置を連結したときの断面側面図
【図１８】分岐管部の流路を閉塞装置で閉塞したときの断面側面図
【図１９】閉塞装置を撤去し、新たな第２開閉弁及び空気弁を連結したときの断面側面図
【図２０】本発明の流体機器更新方法及び分岐管部遮断方法の第４実施形態を示し、作業用管部を連設したときの断面正面図
【図２１】穿孔装置による穿孔時の一部切欠側面図
【図２２】分岐管部の流路を閉塞装置で閉塞したときの断面側面図
【図２３】分岐管部から旧の空気弁を取り外し、新たな第２開閉弁及び空気弁を連結したときの断面正面図
【図２４】本発明の分岐管撤去方法及び分岐管部遮断方法の第５実施形態を示し、施工前の側面図
【図２５】作業用管部に第１開閉弁を連結したときの一部切欠側面図
【図２６】穿孔装置による穿孔時の一部切欠側面図
【図２７】分岐管部の流路を閉塞装置で閉塞したときの断面側面図
【図２８】分岐管を撤去したときの断面側面図
【図２９】分岐管部に蓋体を連結したときの断面側面図
【図３０】閉塞装置を撤去し、第１開閉弁に蓋体を連結したときの側面図
【図３１】本発明の分岐管撤去方法及び分岐管部遮断方法の第６実施形態を示し、作業用管部を連結したときの側面図
【図３２】分岐管撤去後の側面図
【符号の説明】
【０１００】
Ａ        穿孔装置
Ｂ        閉塞装置
Ｃ        閉塞手段
１        流体管（水道管）
２        分岐管部
２ａ      基端開口
３        流体機器（空気弁）
６        作業用管部
６Ａ      当て板部
７        第１開閉弁
８        挿入口
９        先端穿孔具
３２      第２開閉弁
３３      流体機器（空気弁）
３４      蓋体
３５      蓋体
３８      弧状取付け板
３９      締結手段
４０      分岐管
【図１】
2008170008.tif 000003
【図２】
2008170008.tif 000004
【図３】
2008170008.tif 000005
【図４】
2008170008.tif 000006
【図５】
2008170008.tif 000007
【図６】
2008170008.tif 000008
【図７】
2008170008.tif 000009
【図８】
2008170008.tif 000010
【図９】
2008170008.tif 000011
【図１０】
2008170008.tif 000012
【図１１】
2008170008.tif 000013
【図１２】
2008170008.tif 000014
【図１３】
2008170008.tif 000015
【図１４】
2008170008.tif 000016
【図１５】
2008170008.tif 000017
【図１６】
2008170008.tif 000018
【図１７】
2008170008.tif 000019
【図１８】
2008170008.tif 000020
【図１９】
2008170008.tif 000021
【図２０】
2008170008.tif 000022
【図２１】
2008170008.tif 000023
【図２２】
2008170008.tif 000024
【図２３】
2008170008.tif 000025
【図２４】
2008170008.tif 000026
【図２５】
2008170008.tif 000027
【図２６】
2008170008.tif 000028
【図２７】
2008170008.tif 000029
【図２８】
2008170008.tif 000030
【図２９】
2008170008.tif 000031
【図３０】
2008170008.tif 000032
【図３１】
2008170008.tif 000033
【図３２】
2008170008.tif 000034